(57)【特許請求の範囲】
【請求項１】
建物開口部の４辺に沿って具備された枠体と、該枠体の内側に配置される障子とを備える開口部装置であって、
室内側正面視において、前記障子の室内側縁部を隠すように、前記枠体の室内側が形成されるとともに、
前記障子より室内側に配置される前記枠体の４辺の内周面に形成される溝と、
前記障子の室内側に配置される網材と、
前記溝に係合離脱可能に装着される取付部材と、を備えており、
前記取付部材は、前記枠体の内周面と略面一となるように、前記溝に装着され、
前記網材の端部に取り付けられる前記取付部材が隣り合う取付部材と連結しないように構成されることを特徴とする開口部装置。
【請求項２】
前記取付部材が、底板と、該底板の一側から突出する係合片を備えており、
前記底板の前記係合片が設けられる側と反対側の面が、前記枠体の内周面と略面一になるように前記溝に装着される請求項１の開口部装置。
【請求項３】
前記取付部材が弾性変形可能とされており、前記取付部材を変形させて前記溝から取り外すことが可能とされる請求項１又は２に記載の開口部装置。
【請求項４】
前記枠体を室外側正面視から隠蔽するように、前記障子の横框及び縦框の室外側端面が前記枠体よりも外周側に向けて延びる請求項１乃至３いずれか１項に記載の開口部装置。
【請求項５】
前記取付部材が前記網材の一辺よりも若干短い請求項１乃至４いずれか１項に記載の開口部装置。
【請求項６】
屋外側に障子を建て込まれた枠体の屋内側に取り付けられる網体であって、
前記網体の端部に網体を前記枠体の４辺の内周面に形成された溝に装着させる取付部材を備えており、
前記取付部材が、底板と、該底板から突出され、前記枠体の溝に係合離脱可能に装着される係合片と、を備えており、
前記底板の前記係合片が配置される側とは反対側が前記枠体の内周面と略面一になる面が形成され、
前記取付部材が隣り合う取付部材と連結しないように構成されることを特徴とする網体。
【発明の詳細な説明】
【技術分野】
【０００１】
本発明は住宅や公共施設等の建物開口部に好適に用いられる網材を備えた開口部装置に関する。
【背景技術】
【０００２】
近年、建物の洋風化がこれまで以上に進み、いわゆるモダンなデザインである洋風建物が増加している。このような洋風建物では建物の形そのものだけではなく、建物を構成する各要素の随所にも洋風なデザインが採用される場合が多い。
【０００３】
このような洋風なデザインの建物の中で、特にシンプルモダン住宅と呼ばれるシンプルで開放的な印象を与える建物が好まれる傾向にある。そして、そのための建物及び該建物を構成する各要素の設計が重要となっている。かかる建物の要素設計において窓は重要な要素の１つである。建物の窓は室内外の換気及び採光の手段としての機能に留まらず、建物の印象を決める重要な役割を有している。
【０００４】
建物開口部に設けられる網戸を有する開口部装置も例外ではない。開口部装置の網戸は、網戸の室内側又は室外側に配置された障子が開放されたときに、ハエ・蚊等の不快な害虫が室内に侵入することを防ぐことを目的とした網状の面材を有する戸体である。網戸にはこの目的に加えて、例えば該網戸が建物開口部に配置されたときの室内空間において視覚的な快適性を損なわないことや清掃のための着脱の容易性等の機能を備えることが求められている。
【０００５】
従来の開口部装置の網戸は網状の面材である網材が、該網材の４辺に配置される枠状体である框によって固定されることにより、所定の張りを維持して取り付けられていた。そしてこのように構成された網戸が、網戸として開口部装置に配設される。具体的には次のようなものである。
【０００６】
図１１は、従来の開口部装置の一態様である開口部装置１１０が建物開口部に取り付けられた場面における室内視正面図である。図１１ではＬで示した縁の外側は建物の内壁を表している。開口部装置１１０では、建物開口部に沿って取り付けられた枠体と、該枠体の内側に配置された障子と、該障子の室内側に設けられた網戸とを備えている。障子は網戸の室外側に配置されているので、図１１では見えない。障子は、例えば網戸の下方に設けられ、室内側に延在する不図示の開閉装置を操作して開閉させることができる。本態様における障子はいわゆる突出し窓である。
【０００７】
網戸は網材１３０と、該網材１３０の４辺に取り付けられた横框１３２、１３３、縦框１３４、１３５とを備えている。そして室内側から横框１３２、１３３、縦框１３４、１３５が正面視で見えるように構成されている。このような網戸を有する開口部装置１１０の構成を開示する文献は特にないが、当業者により通常に採用されているものであり、実際の網戸はかかる構成を有して建物に取り付けられている。
【０００８】
また、他の方法で開口部装置に網材を固定する方法として、枠体の４周に溝を形成し、網材とは別体に用意された網押し棒を網材の端部とともに枠体の上記溝に押し込むというものがあった。これは例えば通常は人がその開閉をしないような屋根裏における換気口等に用いられることがあり、これについても特に文献によらずとも当業者によって採用されているものである。
【発明の概要】
【発明が解決しようとする課題】
【０００９】
しかし、図１１からわかるように開口部装置１１０に備えられる従来の網戸では、横框１３２、１３３、縦框１３４、１３５が室内側正面視で視認されてしまう。これにより網材１３０の面積が小さくなるので採光面積も小さくなる問題があった。
【００１０】
さらに、横框１３２、１３３、縦框１３４、１３５が網材１３０を厚く縁取って見えるので開口部自体が小さく見えてしまうという問題もあった。
【００１１】
一方、上記のように網押し棒により網材を直接枠体に固定する方法では、框を必要とすることはないが、網材を所定の張りを持って外観上きれいに枠体に取り付けるためには特別に技能を要し、これを会得した者でないと外観上の観点からその需要に耐え得る網戸とすることはできないという問題があった。特に住宅において窓に用いられる網戸はいわゆる換気口と異なり人目に付くため、取り外して清掃等を行うことがあり、清掃の度に特別な技能者に網材の取り付けを依頼することは実用上問題があった。
【００１２】
そこで本発明は、採光面積を大きく確保し、明るく快適な室内空間とするとともに、外観上も優れ、さらには着脱容易である網材を備える開口部装置を提供することを課題とする。
【課題を解決するための手段】
【００１３】
以下、本発明について説明する。
【００１４】
請求項１に記載の発明は、建物開口部の４辺に沿って具備された枠体と、該枠体の内側に配置される障子とを備える開口部装置であって、室内側正面視において、障子の室内側縁部を隠すように、枠体の室内側が形成されるとともに、障子より室内側に配置される枠体の４辺の内周面に形成される溝と、障子の室内側に配置される網材と、溝に係合離脱可能に装着される取付部材と、を備えており、取付部材は、枠体の内周面と略面一となるように、溝に装着され、網材の端部に取り付けられる取付部材が隣り合う取付部材と連結しないように構成されることを特徴とする開口部装置である。
【００１５】
請求項２に記載の発明は、請求項１の開口部装置において、取付部材が、底板と、該底板の一側から突出する係合片を備えており、底板の係合片が設けられる側と反対側の面が、枠体の内周面と略面一になるように溝に装着される。
【００１６】
請求項３に記載の発明は、請求項１又は２に記載の開口部装置において、取付部材が弾性変形可能とされており、取付部材を変形させて溝から取り外すことが可能とされる。
【００１７】
請求項４に記載の発明は、請求項１乃至３いずれか１項に記載の開口部装置において、枠体を室外側正面視から隠蔽するように、障子の横框及び縦框の室外側端面が枠体よりも外周側に向けて延びる。
【００１８】
請求項５に記載の発明は、請求項１乃至４いずれか１項に記載の開口部装置において、取付部材が網材の一辺よりも若干短い。
【００１９】
請求項６に記載の発明は、屋外側に障子を建て込まれた枠体の屋内側に取り付けられる網体であって、網体の端部に網体を枠体の４辺の内周面に形成された溝に装着させる取付部材を備えており、取付部材が、底板と、該底板から突出され、枠体の溝に係合離脱可能に装着される係合片と、を備えており、底板の係合片が配置される側とは反対側が枠体の内周面と略面一になる面が形成され、取付部材が隣り合う取付部材と連結しないように構成されることを特徴とする網体である。
【発明の効果】
【００２１】
本発明によれば、通常の網戸における框がなく、網材の端部が網材係合部材及び網材挟持部材を介して枠体の溝に直接的に係合又は挟持されるので、採光面積を大きく確保し、明るく快適な室内空間とすることができる。加えて、網材の回りにフレームに相当する部分が全く、又はほとんどないのですっきりとした印象を与えることができ、外観上にも優れた開口部装置を提供することができる。
【００２２】
さらには、従来のように別体である網押し棒等による網材の取り付けではなく、網材端部に一体に設けられた取付部材（網材係合部材）により網材の端部を枠体の溝に差し込むように係合するのみで取り付けができる。これにより、網材の着脱に特別な技能を必要とすることがなく、着脱容易である網材を備える開口部装置を提供することができる。着脱容易であることによって、利用者は手軽に網材の清掃等をすることができ、清潔で快適な居住空間を確保することが可能となる。
【図面の簡単な説明】
【００２３】
【図１】本発明の開口部装置が使用される１つの実施形態にかかる建物の外観を示す正面図である。
【図２】建物に配置された場面における開口部装置の室内視正面図である。
【図３】開口部装置の垂直方向横断面図である。
【図４】開口部装置の水平方向横断面図である。
【図５】網材、網材係合部材、及び網材挟持部材の分解図である。
【図６】網材係合部材の横断面図である。
【図７】網材挟持部材の横断面図である。
【図８】図３に矢印Ｂで示した部位に注目して拡大した図である。
【図９】図４に矢印Ｄで示した部位に注目して拡大した図である。
【図１０】網材の取り付け手順の一例を順を追って示した図である。
【図１１】従来の網戸が備えられた開口部装置が建物に備えられた場面における室内側正面視を示す図である。
【発明を実施するための形態】
【００２４】
本発明の上記した作用及び利得は、次に説明する発明を実施するための形態から明らかにされる。以下本発明を図面に示す実施形態に基づき説明する。
【００２５】
図１は、本発明の１つの実施形態にかかる開口部装置１０が使用される建物１の外観を示す正面図である。建物１は、１階及び２階からなり、各階に開口部を有している。１階には玄関５や窓３が、２階にも窓４が備えられている。２階にはさらに開口を備え、該開口に本発明の開口部装置１０が配置されている。開口部装置１０は、このような開閉可能な窓に好適に使用される。建物の種類は本実施形態のような住宅に限定されず、公共施設やオフィスなどの大型建物にでも適用できる。図１中に示した符号２は建物１の外壁２を示している。
【００２６】
図２は開口部装置１０が建物１に取り付けられた姿勢における該開口部装置１０の室内視正面図である。図２ではＡで示した縁の外側は建物の内壁を表している。本実施形態において開口部装置１０では、障子２０（図３、図４参照）は突出し式である。該障子２０は網材３０の室外側に配置されている。使用者は障子２０を開閉する際に、障子２０に取り付けられ、室内側に延在する不図示の操作部を操作することにより障子２０を開閉させることができる。そして開口部装置１０の網材３０により障子２０が開放されたときにハエ・蚊等の不快な害虫が室内へ侵入することを防ぎ得るものである。
【００２７】
このように配置された開口部装置１０では、網材３０を通して見える部材、景色を除いては、室内側からは正面視で網材３０のみが見え、枠状に形成されるいずれの枠体、框等も見えない。従って、建物開口部を広く有効活用することができ、採光面積を従来に比べて大きくとることができる。これにより、快適な室内空間を提供することが可能となる。
【００２８】
同時に、網材３０が従来のように框等によって縁取られているように見えず、開口部を広く感じることができるので使用者にとってシンプルで開放感のある印象を与える開口部装置１０とすることも可能である。
【００２９】
さらに詳しく開口部装置１０について説明する。図３は、開口部装置１０の垂直方向横断面図、図４は水平方向横断面図である。図３では紙面左が室外側、紙面右が室内側、図４では紙面上が室外側、紙面下が室内側である。図３、図４からわかるように、開口部装置１０は、横枠１２、１３及び縦枠１４、１５が組み合わされて枠状に形成された枠体１１と、障子２０と、網材３０と、該網材３０の端部に配置される網材係合部材４０、４０及び網材挟持部材５０、５０とを備えている。
【００３０】
枠体１１は、建物開口部の４辺に沿って配置される横枠１２、１３、縦枠１４、１５が組み合わされて形成されている。また、枠体１１の内周面に沿って該面の一部には、障子２０が配置される位置よりも室内側に、溝１６、１６、１７、１７が刻設されている。溝１６、１６、１７、１７には後述するように網材３０の端部とともに取付部材としての網材係合部材４０、４０又は取付部材としての網材挟持部材５０、５０が係合される。
【００３１】
障子２０は、枠体１１の内側に配置され、ガラスパネル２１と、該ガラスパネル２１の４辺に取り付けられた横框２２、２３及び縦框２４、２５を備えている。ここで本実施形態における横框２２、２３及び縦框２４、２５は、室外側の端面が障子２０の外側に大きく延在し、枠体１１を室外側正面視から隠蔽している。これにより室外視では枠体１１が見えず、ガラスパネル２１の周りには横框２２、２３及び縦框２４、２５しか見えないので、シンプルですっきりとした印象を与えることのできる開口部装置１０となる。
【００３２】
上記枠体１１と障子２０とは、図４に表れているようにその一辺同士を蝶番６０で連結されており、これにより障子２０は、蝶番６０の軸を中心として図４にＦで示した矢印の方向に回動可能である。使用者はこの回動を利用して不図示の操作部により障子２０を開閉して換気等をおこなうことができる。
【００３３】
網材３０は、上述したようにその端部が網材係合部材４０、４０及び網材挟持部材５０、５０を介して枠体１１の溝１６、１６、１７、１７に取り付けられている。網材３０、網材係合部材４０、４０、及び網材挟持部材５０、５０の構成等については後で詳しく説明する。
【００３４】
開口部装置１０において、特に網材３０、網材係合部材４０、４０及び網材挟持部材５０、５０の構成により、図３にＣで示した破線、図４にＥで示した破線より内側には枠状体を形成する部材がなく、室内（紙面右側）視では網材３０しか配置されていない。これにより図２を示して上述したように採光、居住性、開放感等に優れた開口部装置を提供することができる。
【００３５】
次に、網材３０、網材係合部材４０、４０及び網材挟持部材５０、５０について説明する。図５は、網材３０、網材係合部材４０、４０、及び網材挟持部材５０、５０の分解図である。図５（ａ）は正面図、図５（ｂ）は垂直方向横断面図、図５（ｃ）は水平方向横断面図である。
【００３６】
網材３０は、上下端部に網材３０の網に比べて厚い横断面を有する固定端部３１を備える網状の面材である。網材３０において、網の部分は通常の網戸に用いられる網を用いることができる。また固定端部３１の大きさは後述するように、横断面において網材係合部材４０の中空部４４（図６参照）に内包されることが可能であるとともに、間隙４５（図６参照）を通り抜けることができないものとされる。当該固定端部３１はその端部が上述のように網の厚さより若干厚く形成されていれば良く、当該端部が形成される態様は特に限定されるものではない。固定端部を形成する例として、いわゆるファスナーの端部を利用することができる。すなわち、この例によれば、網の端部に沿ってファスナーを取り付ける。このときファスナーの厚く形成された端部が外側を向くように取り付ける。これによって固定端部を設けることが可能となる。固定端部３１が設けられていない端部は通常の端部である。
【００３７】
網材係合部材４０、４０は図５（ｂ）に示したような断面を有する棒状の部材で、その長さはこれが取り付けられる網材３０の１辺より若干短くされている。図６に網材係合部材４０の断面を拡大して示した。網材係合部材４０は断面において、底板４１と、該底板４１の一方の面から所定の間隔を有して平行に立設される２つの係合片４２、４３とを備えている。係合片４２は、略直線状に立設し、外側の側面の一部がさらに外側に膨らむように形成されている。一方、係合片４３も外側の側面の一部がさらに外側に膨らむように形成されているとともに先端部が係合片４２の方向へ延在するように曲げられている。この係合片４２、４３の断面形状により、該係合片４２と係合片４３との間に中空部４４が形成される。また中空部４４の一部からは外部へ貫通する開口である間隙４５が設けられている。これにより、後述するように網材３０の固定端部３１が中空部４４内に固定される。
【００３８】
網材挟持部材５０、５０は図５（ｃ）に示したような断面を有する棒状の部材で、その長さはこれが取り付けられる網材３０の１辺より若干短くされている。図７に網材挟持部材５０の断面を拡大して示した。網材挟持部材５０は断面において、底板５１と、該底板５１の一方の面から所定の間隔を有して平行に立設される２つの係合片５２、５３とを備えている。係合片５２、５３は、略直線状に立設し、外側の側面の一部がさらに外側に膨らむように形成されている。
【００３９】
次に、網材３０、網材係合部材４０、４０、及び網材挟持部材５０、５０の開口部装置１０への配置について説明する。図８は、図３に矢印Ｂで示した部位に注目して拡大した図である。図３及び図８を参照しつつ網材３０及び網材係合部材４０の配置について説明する。
【００４０】
網材係合部材４０は、溝１６に嵌め込まれて係合されるが、これは、係合片４２、４３が溝１６の内側に入り込むことによる。当該係合は、図８からわかるように、溝１６の入口部分に、該入口部分を狭くするように設けられた片と、網材係合部材４０の係合片４２、４３における上記外側に膨らむように形成された部分とが、引っ掛かることによって行われる。従って、取り付け後は安定してその姿勢が維持される。一方、網材係合部材４０が溝１６に嵌め込まれた上記姿勢において底板４１は溝１６のフタとなるように配置される。そして、底板４１の係合片４２、４３が設けられた面の反対側の面と、枠体１１の内周面とが略面一となる。従って、ここに凹凸ができないので網材３０の周りに框等が無く、上記のように採光部が大きく取れる等の効果を有する開口部装置とすることができる。
【００４１】
このとき、網材３０は、上記のように網材係合部材４０が溝１６に嵌め込まれた姿勢において、固定端部３１が中空部４４内に内在するように配置される。固定端部３１の一部から延在する網は、間隙４５を通って網材係合部材４０の外に出て、係合片４２に沿って溝１６と、網材係合部材４０との間から開口部内側に延在する。このとき、固定端部３１は、間隙４５を通り抜けることができないので、網材３０は強固に枠体１１に固定される。さらに網材３０は、網材係合部材４０と枠体１１との間に挟まれる部分も有するので、これによっても確実に固定される。
【００４２】
図９は、図４に矢印Ｄで示した部位に注目して拡大した図である。図４及び図９を参照しつつ網材３０及び網材挟持部材５０の配置について説明する。
【００４３】
網材挟持部材５０は、溝１７に嵌め込まれて係合されるが、これは、係合片５２、５３が溝１７の内側に入り込むことによる。当該係合は、図９からわかるように、溝１７の入口部分に、該入口部分を狭くするように設けられた片と、網材挟持部材５０の係合片５２、５３における上記外側に膨らむように形成された部分とが、引っ掛かることによって行われる。従って、取り付け後は安定してその姿勢が維持される。一方、網材挟持部材５０が溝１７に嵌め込まれた上記姿勢において底板５１は溝１７のフタとなるように配置される。そして、底板５１の係合片５２、５３が設けられた面の反対側の面と、枠体１１の内周面とが略面一となる。従って、網材３０の周りに框等が無く、ここに凹凸ができないので上記のように採光部が大きく取れる等の効果を有する開口部装置とすることができる。
【００４４】
このとき、網材３０は、上記のように網材挟持部材５０が溝１７に嵌め込まれた姿勢において、網材挟持部材５０と枠体１１との間に挟まれているので、これにより網材３０は枠体１１に固定される。
【００４５】
以上のような構成により、網材３０は枠体１１に取り付けられ、採光部が大きく取れる等の上記効果を有する開口部装置を提供することができる。本実施形態では、網材の上下端部を固定端部としたが、網材の４つの端部の全てを固定端部としても良い。このとき本実施形態における網材係合部材の断面形状を網材挟持部材にも適用しても良い。また、逆に網材の４つの端部のうちいずれか１つの端部のみを固定端部としても良い。さらには、網材の端部を１つの単位するように限定されることもなく、網材の４周の端部のうちの少なくとも一部が固定端部とされてもよい。
【００４６】
次に、網材３０の開口部装置１０への取り付け手順について説明する。図１０は当該取り付けの手順の一例を図１０（ａ）〜図１０（ｄ）で順を追って説明するための図である。始めに図１０（ａ）に示したように、上側の網材係合部材４０の端部から中空部４４には固定端部３１を、間隙４５には網を入れて矢印Ｇで示したように、網材係合部材４０を網材３０の端部においてスライドさせる。これにより網材係合部材４０と、網材３０とが係合して一体となる。次に、図１０（ｂ）の左側に示した姿勢から網材係合部材４０を紙面において時計回りに１８０度回転させ、図１０（ｂ）の右側に示した姿勢とする。これにより、網材３０の面材は係合片４２に適切に巻きつくとともに係合片４２、４３が溝１６に入ることのできる向きとなる。
【００４７】
その後、図１０（ｃ）に示したように、図１０（ｂ）の右側に示した姿勢を維持したまま、網材係合部材４０を横枠１２の溝１６に差し込むように取り付ける。このとき係合片４２、４３は、溝１６の狭く形成された入口部分において弾性変形をすることにより該入口部分を通過し、溝１６の奥で戻ることにより係合する。これにより、図８に示した配置とすることができる。
【００４８】
次に、下側の網材係合部材４０についても上記図１０（ａ）〜図１０（ｃ）の説明と同様の手順で横枠１３への取り付けを行う。このとき、上側はすでに横枠１２に固定されており、下側の網材係合部材４０を横枠１３に差し込むのみなので、操作が非常に容易である。さらに、当該差し込みによって網材３０が適切な張りを有するように予め設定されているので、網材３０の取り付けにより該網材３０に緩み等の不具合を生じることなく取り付けることが可能である。
【００４９】
最後に図１０（ｄ）に示したように、２つの網材挟持部材５０、５０のそれぞれを網材３０の端部とともに対応する溝１７、１７に係合させる。このとき係合片５２、５３は溝１７の狭く形成された入口部分において弾性変形により該入口部分を通過し、溝１７の奥で戻ることにより係合する。これにより、図９に示した配置とすることができる。
【００５０】
一方、網材３０を取り外すときには上記手順を遡るように行えば良い。上記の説明のように、網材係合部材４０、及び網材挟持部材５０は、所定の弾性変形が可能であるように構成されている。従って、安定して取り付けられてはいるが、一定以上の力を負荷することにより、容易に取り外すことができる。このように、本発明の開口部装置１０において網材３０の取り付け及び取り外しは非常に容易であり、特別な技能を必要としないので手軽に網材のみを清掃等をすることができる。また、網材３０を取り付けたときに該網材３０が適切に張り等を有するように構成されているので、取り付け直しにおいても網材の外観上の不具合を生じることがない。
【符号の説明】
【００５１】
１  建物
２  外壁
３  窓
４  窓
５  玄関ドア
６  室内側壁
１０  開口部装置
１１  枠体
１２  横枠
１３  横枠
１４  縦枠
１５  縦枠
２０  障子
２１  ガラスパネル
２２  横框
２３  横框
２４  縦框
２５  縦框
３０  網材
３１  固定端部
４０  網材係合部材（取付部材）
４１  底板
４２  係合片
４３  係合片
５０  網材挟持部材（取付部材）
５１  底板
５２  係合片
５３  係合片
６０  蝶番
【図１】
0005572191.tif 000002
【図２】
0005572191.tif 000003
【図３】
0005572191.tif 000004
【図４】
0005572191.tif 000005
【図５】
0005572191.tif 000006
【図６】
0005572191.tif 000007
【図７】
0005572191.tif 000008
【図８】
0005572191.tif 000009
【図９】
0005572191.tif 000010
【図１０】
0005572191.tif 000011
【図１１】
0005572191.tif 000012